(57)【要約】【課題】送り元の装置から受け取り装置へコンテンツの移動又はコピーを行う場合、大きな単位で指定を行うだけで自動的に条件に適合したコンテンツを選択して１つのフォルダに集約して格納することができるようにした。【解決手段】条件に見合う属性情報を持つコンテンツを集合させて格納する特定フォルダを設定する特定フォルダ設定部１１ａと、外部から保存すべきコンテンツが取り込まれたときにその属性情報を解析する属性解析部１１ｃと、属性解析の結果、保存すべきコンテンツが条件に見合う属性情報を持つ場合、そのコンテンツを前記特定フォルダに格納するフォルダ制御部１１ｄを有する。【選択図】      図１
2006338751.tif 000002
【特許請求の範囲】
【請求項１】
ネットワークに接続される接続部と、前記接続部からの入力信号を所定のフォーマットにエンコードするエンコーダと、エンコードしたデータを情報記録媒体に記録する記録処理部と、前記情報記録媒体に記録されているデータを再生する再生処理部と、再生したデータをデコードするデコーダと、装置を統括して制御する制御部とを有した情報記録再生装置において、
関連付けられた所定の属性情報を持つコンテンツを集合させて格納する特定フォルダを設定する特定フォルダ設定部と、
前記特定フォルダに格納されるコンテンツに対して前記属性情報を設定する属性情報設定部と、
前記接続部を介して保存すべきコンテンツが取り込まれたときに、前記属性情報を解析する属性解析部と、
前記属性解析部の解析結果、前記保存すべきコンテンツが条件に見合う属性情報を持つ場合、前記保存すべきコンテンツを前記特定フォルダに格納するフォルダ制御部と、
を有したことを特徴とするネットワーク対応型情報記録再生装置。
【請求項２】
前記フォルダ制御部は、
前記属性情報が前記属性解析部で解析されたときに、前記保存すべきコンテンツが条件に見合う属性情報と異なる属性情報を持つときは、フォルダへの保存を中止する請求項１記載のネットワーク対応型情報記録再生装置。
【請求項３】
さらに前記接続部を介して接続された外部の情報記録再生装置との間で、パスワードの認証処理を行い、相互認証が得られたときに前記属性解析部は属性情報の解析を行う請求項２記載のネットワーク対応型情報記録再生装置。
【請求項４】
さらに操作画面処理部を有しこの操作画面処理部は、録画予約画面を表示し、この録画予約画面には、予約番組を前記特定フォルダに格納するのか否かを指定するための指定入力部を表示する請求項１記載のネットワーク対応型情報記録再生装置。
【請求項５】
さらに操作画面処理部を有しこの操作画面処理部は、外部メモリから情報を保存するための保存設定画面を表示し、この保存設定画面に、保存する情報を前記特定フォルダに格納するのか否かを指定するための指定入力部を表示する請求項１記載のネットワーク対応型情報記録再生装置。
【請求項６】
さらに操作画面処理部を有しこの操作画面処理部は、前記特定フォルダを作成するための特定フォルダ設定画面を表示し、この特定フォルダ設定画面に、特定フォルダ名の入力部を表示する請求項１記載のネットワーク対応型情報記録再生装置。
【請求項７】
さらに操作画面処理部を有しこの操作画面処理部は、前記特定フォルダ処理を実行するための特定フォルダ処理画面を表示し、この特定フォルダ処理画面に、特定フォルダに収集すべきコンテンツの条件を入力する入力部を表示する請求項１記載のネットワーク対応型情報記録再生装置。
【請求項８】
さらに操作画面処理部を有しこの操作画面処理部は、前記特定フォルダに収集すべきコンテンツと収集しないコンテンツを示すフラッグを入力できるように、保存されているコンテンツのテーブルを表示する請求項１記載のネットワーク対応型情報記録再生装置。
【請求項９】
ネットワークに接続される接続部と、前記接続部からの入力信号を所定のフォーマットにエンコードするエンコーダと、エンコードしたデータを情報記録媒体に記録する記録処理部と、前記情報記録媒体に記録されているデータを再生する再生処理部と、再生したデータをデコードするデコーダと、装置を統括して制御する制御部とを有した情報記録再生装置の制御方法において、
関連付けられた所定の属性情報を持つコンテンツを集合させて格納する特定フォルダを設定し、
前記接続部を介して保存すべきコンテンツが取り込まれたときに、このコンテンツに付随する属性情報を解析し、
前記属性情報の解析結果、前記保存すべきコンテンツが、指定した条件に見合う属性情報を持つ場合、前記保存すべきコンテンツを前記特定フォルダに格納する
ネットワーク対応型情報記録再生装置の制御方法。
【請求項１０】
さらに前記接続部を介して接続された外部の情報記録再生装置との間で、パスワードの認証処理を行い、相互認証が得られたときに前記属性情報の解析を行う請求項９記載のネットワーク対応型情報記録再生装置の制御方法。
【発明の詳細な説明】
【技術分野】
【０００１】
この発明は、ネットワーク対応型情報記録再生装置及びその制御方法に関するもので、複数の情報記録再生装置がネットワークを介して接続された環境で有効な技術である。
【背景技術】
【０００２】
近年、ネットワークを介して接続可能な機器が多様化している。このような機器として、例えば、パーソナルコンピュータ、サーバー、テレビジョン受信機、単独の情報記録再生装置などがある。ネットワーク接続のためのインターフェースも発達しており、動画などのファイルを一括して圧縮して伝送・受信可能となっている。
【０００３】
また、情報記録再生装置に使用される記録媒体の進歩により、その容量が大きくなっている。この結果、多くのコンテンツを記録媒体に記録可能であるために、コンテンツの分類、整理に関する技術が要望されるようになっている。
【０００４】
コンテンツを共有化する技術として例えば、特許文献１がある。ここででは、共有するコンテンツを、複数の端末同士で共有化する技術が開示されている。複数の端末が共有フォルダを有し、この共有フォルダに共有するコンテンツをそれぞれ格納している。このために、それぞれの各端末が、１つのサーバーから、通信回線を介して共有できるコンテンツであれば、そのコンテンツをダウンロードしなくてもよい。端末間で共有コンテンツをやり取りすればよい。
【０００５】
また、コンテンツの分類、整理に関する技術として、特許文献２がある。ここでは、楽曲データに付加情報を付加する。楽曲データが取り込まれたとき、付加情報に基づいて、複数のフォルダのうち対応するフォルダに当該楽曲データを格納する。
【０００６】
また特許文献３では、フォルダ指定情報を基に受信メッセージを自動的に指定フォルダに分類して記憶管理できる技術が開示されている。
【特許文献１】特開２００２−１７５２３４公報
【特許文献２】特開２００２−３５２５６０公報
【特許文献３】特開２００２−０９２５３７公報
【発明の開示】
【発明が解決しようとする課題】
【０００７】
従来のネットワーク対応の情報記録再生装置（ここでは、コンピュータ、サーバー、テレビジョン受信機内蔵のハードディスク記録再生装置など全般のものを含む）において、送り元の装置から、受け取り装置へファイルをコピー或いは移動するときは、画面を見ながら、次のような操作が行われる。例えば、送り元の装置において、表示画面を見ながら、受け取り装置をネットワークで検索する。次に、受け取り装置が選択されると、受け取り装置のフォルダが選択される。一方、送り元の装置のフォルダが開かれて、フォルダ内のコンテンツ（例えばタイトル名称）が選択される。次に、移動或いはコピーの指定が行われる。コピープロテクト情報が含まれるコンテンツであるにも係わらずコピーが指定されると、警告が表示されコピーが拒否される。
【０００８】
上記したように従来の装置では、コンテンツを送り元の装置から、受け取り装置へ、移動あるいはコピーする場合に、細かい指定を行う必要がある。そのために操作が煩わしいという問題がある。このために、例えば、特定のジャンルあるいは種類のコンテンツを、１つのフォルダにまとめて格納するためには、非常に長い操作時間を必要としている。
【０００９】
この発明は、上記の問題を解決するために、送り元の装置から受け取り装置へ、コンテンツの移動又はコピーを行う場合、大きな単位で指定を行うと、自動的に所望の属性（条件に適合した）のコンテンツを選択して１つのフォルダに集約して格納することができるようにしたネットワーク対応型情報記録再生装置及びその制御方法を提供することを目的とする。
【課題を解決するための手段】
【００１０】
この発明は上記の目的を達成するために、ネットワークに接続される接続部と、前記接続部からの入力信号を所定のフォーマットにエンコードするエンコーダと、エンコードしたデータを情報記録媒体に記録する記録処理部と、前記情報記録媒体に記録されているデータを再生する再生処理部と、再生したデータをデコードするデコーダと、装置を統括して制御する制御部とを有した情報記録再生装置において、
関連付けられた所定の属性情報を持つコンテンツを集合させて格納する特定フォルダを設定する特定フォルダ設定部と、前記特定フォルダに格納されるコンテンツに対して前記属性情報を設定する属性情報設定部と、前記接続部を介して保存すべきコンテンツが取り込まれたときに、前記属性情報を解析する属性解析部と、前記属性解析部の解析結果、前記保存すべきコンテンツが条件に見合う属性情報を持つ場合、前記保存すべきコンテンツを前記特定フォルダに格納するフォルダ制御部と、を有する。
【発明の効果】
【００１１】
上記の手段を設けることにより、送り元の装置から所定の属性情報を持つコンテンツが送られて来た場合、属性情報を判定し、自動的に特定フォルダに当該コンテンツを集合することができる。よって送り元の装置から受け取り装置に対して、単純に複数のコンテンツを送信すれば、受け取り装置は、自動的に属性情報の解析結果に基づいて、コンテンツを分別してフォルダに格納することが可能となる。
【発明を実施するための最良の形態】
【００１２】
以下、図面を参照しながらこの発明の実施の形態を説明する。図１は、第１の情報記録再生装置１００と第２の情報記録再生装置２００とがネットワークを介して接続された様子を示している。また図では、第１の記録再生装置１００にディスプレイ１２０が接続されている。第１の記録再生装置１００は、制御部１０１により装置が統括して制御される。入出力制御部１０３は、外部の装置とこの第１の記録再生装置１００の接続を得るためのものである。外部の装置としては、ディスプレイ１２０、先の情報記録再生装置２００、チューナなどがある。チューナとしては、アナログチューナ、デジタル放送を受信するデジタルチューナ、さらには、セットトップボックス、ハブなどがある。したがって、この入出力制御部１０３は、ネットワーク接続部を兼ねている。なお、第１の情報記録再生装置１００と、第２の情報記録再生装置２００とは、略同様な構成であるから、第１の情報記録再生装置１００を代表して説明する。
【００１３】
今、受信番組の録画が行われるものとする。チューナで受信され、復調された信号は、エンコーダ１０４に入力される。エンコーダ１０４は、デジタルビデオ信号を所定のフォーマットに変換して、信号処理部１０５に供給する。信号処理回路１０５では、入力信号に対して、誤り訂正符号を付して、さらに変調して、記録媒体１０６（ここでは例えばハードディスクである）に記録する。ハードディスク１０６に記録されたデータは、信号処理部１０５により読み出されて、復調されて、誤り訂正などを施される。誤り訂正処理されたデータは、デコーダ１０７にてデコードされ、ベースバンドのデジタルビデオ信号となり入出力制御部１０３に出力される。
【００１４】
デジタルビデオ信号が表示されるときは、入出力制御部１０３は、ビデオ信号をアナログ変換してディスプレイに供給する。また他の記録再生装置１０３に伝送する場合には、デジタルビデオ信号を伝送用のフォーマットに変換して出力する。この場合、ベースバンドのデジタルビデオ信号の状態ではなく、ファイルの状態で伝送することも可能である。２０はリモートコントローラであり、ここから出力された操作信号は、受信部２１を介して制御部１０１に取り込まれる。
【００１５】
制御部１０１は上記の動作を統括している。さらにこの装置では、次のような情報処理部を有する。即ち、関連付けられた所定の属性情報を持つコンテンツを集合させて格納する特定フォルダを設定した特定フォルダ設定部１１ａと、特定フォルダに格納されるコンテンツに対して属性情報を設定する属性情報設定部１１ｂと、保存すべきコンテンツが取り込まれたときに、属性情報を解析する属性解析部１１ｃと、属性解析部の解析結果、保存すべきコンテンツが所定の属性情報を持つ場合、保存すべきコンテンツを特定フォルダに配信して格納するフォルダ制御部１１ｄとを有する。またコンテンツのコピー、移動などを実行させるときに操作画面をディスプレイに表示する操作画面処理部１１ｅを有する。さらにまた、リモートコントローラ２０から入力する操作信号を解析して内容判断を行い、操作内容に応じた処理を装置に実行させるための操作入力判定部１１ｆを有する。
【００１６】
図２（Ａ）、図２（Ｂ）は、第１の情報記録再生装置１００におけるフォルダ管理状態と、フォルダ内のコンテンツに付随している属性情報の例を示している。ここでは例えばファイルシステムによる管理が行われている。
【００１７】
図２（Ａ）に示すように、第１の情報記録再生装置１００では、フォルダＡＦ−１，ＡＦ−２，同期（特定）フォルダＡＦＳ−１、コンテンツＡ−１が管理されているものとする。ここで、フォルダＡＦ−１には、コンテンツＡＦ−１−１、ＡＦ−１−２が格納され、フォルダＡＦ−２には、コンテンツＡＦ−２−１，ＡＦ−２−２が格納され、同期（特定）フォルダＡＦＳ−１には、コンテンツＡＦＳ−１−１、ＡＦＳ−１−２が格納されているものとする。
【００１８】
ここで、各コンテンツの属性情報をみると、図２（Ｂ）に示すように、コンテンツＡＦ−１−１はメディアタイプとして写真（Photo)、コンテンツＡＦ−１−２は動画（Movie)、コンテンツＡＦ−２−１は写真（Photo)、コンテンツＡＦ−２−２は動画（Movie)、コンテンツＡＦＳ−１−１は写真（Photo)、コンテンツＡＦＳ−１−２は動画（Movie)、コンテンツＡ−１は動画（Movie)であるものとする。また各コンテンツには、作成日時の情報が付加されている。さらにまた各コンテンツにおいて、放送信号から取得した動画（Movie)に対しては、チャンネル番号が付加されている。写真に対してチャンネル番号はない。
【００１９】
さらにここで、同期（特定）フォルダＡＦＳ−１に格納されているコンテンツに対しては、特定フォルダ指定情報”ｆ”が付加されている。なお、この特定フォルダ指定情報の記号は、一例であり、取り決められた任意の記号でよい。
【００２０】
属性情報としては、他に種々の情報を追加してよい。例えばジャンルの識別情報、出演者名など番組情報から取得できる情報でもよいし、ユーザが録画時に付した情報であってもよい。またコピー制限情報（コピー禁止あるいはコピー１回可能、コピーフリーなどの情報）が付加される。
【００２１】
図３（Ａ），図３（Ｂ）には、第２の情報記録再生装置２００におけるフォルダ管理状態と、フォルダ内のコンテンツに付随している属性情報の例を示している。
【００２２】
図３（Ａ）に示すように、第２の情報記録再生装置２００では、フォルダＢＦ−１，ＢＦ−２，同期（特定）フォルダＢＦＳ−１、コンテンツＢ−１が管理されているものとする。ここで、フォルダＢＦ−１には、コンテンツＢＦ−１−１、ＢＦ−１−２が格納され、フォルダＢＦ−２には、コンテンツＢＦ−２−１，ＢＦ−２−２が格納され、同期（特定）フォルダＢＦＳ−１には、コンテンツＢＦＳ−１−１、ＢＦＳ−１−２、ＢＦＳ−１−３が格納されているものとする。
【００２３】
ここで、各コンテンツの属性情報をみると、図３（Ｂ）に示すように、コンテンツＢＦ−１−１はメディアタイプとして写真（Photo)、コンテンツＢＦ−１−２は動画（Movie)、コンテンツＢＦ−２−１は写真（Photo)、コンテンツＢＦ−２−２は動画（Movie)、コンテンツＢＦＳ−１−１は写真（Photo)、コンテンツＢＦＳ−１−２は、動画（Movie)、コンテンツＢＦＳ−１−３は、動画（Movie)、コンテンツＢ−１は動画（Movie)であるものとする。また各コンテンツには、作成日時の情報が付加されている。さらにまた各コンテンツにおいて、放送信号から取得した動画（Movie)に対しては、チャンネル番号が付加されている。写真に対してチャンネル番号はない。
【００２４】
さらにここで、同期（特定）フォルダＢＦＳ−１に格納されているコンテンツに対しては、特定フォルダ指定情報”ｆ”が付加されている。なお、この場合も特定フォルダ指定情報の記号は、一例であり、取り決められた任意の記号でよい。また属性情報としては、他に種々の情報を追加してよい。例えばジャンルの識別情報、出演者名など番組情報から取得できる情報でもよいし、ユーザが録画時に付した情報であってもよい。またコピー制限情報（コピー禁止あるいはコピー１回可能、コピーフリーなどの情報）が付加される。
【００２５】
図４には、上記の同期フォルダに関する情報に基づいて、コピー処理を実現する際の動作手順を示している。
【００２６】
今、第１の情報記録再生装置１００において、同期処理が開始されるものとする。すると、第１の情報記録再生装置１００は、ネットワークに接続されている装置を検索し（ステップＳＡ１）、第２の情報記録再生装置２００を検出する。そして、第２の情報記録再生装置２００が同じグループ名の装置であるかを判定し、またそのパスワードの認証を行う（ステップＳＡ２）。ここでグループ名が異なる場合また認証が不成立であった場合は、コンテンツの取得動作は行われない（ステップＳＡ３）。ステップＡ２において、同じグループ名の装置であることが判明し、パスワードの認証が成立した場合には、同期フォルダに格納されているコンテンツの属性情報を取得する。属性情報に、第１の情報記録再生装置１００が第２の情報記録再生装置２００からコンテンツを取得するかしないかを決める同期条件情報が含まれているかどうかを判定する（ステップＳＡ４）。同期条件情報が属性情報に含まれていた場合には、対応するコンテンツを取得する（ステップＳＡ５）。そして取得したコンテンツは、その属性情報と共に第１の情報記録再生装置１００内の同期（特定）フォルダＡＦＳ−１に格納する。上記の同期条件情報は、後述するように、例えば同期処理を開始するまえに、ユーザが指定することができる。ステップＡ４において、同期条件情報が属性情報に含まれていなかった場合には、当該対応するコンテンツは取得しない（ステップＳＡ６）。
【００２７】
図５は、上記の動作において、同期条件情報として、写真（Photo）を指定した場合の例である。図５の上の段が同期処理前の同期フォルダＡＦＳ−１，ＢＦＳ−１を示し、図５の下の段が同期処理後の同期フォルダＡＦＳ−１，ＢＦＳ−１を示している。同期処理後の同期フォルダＡＦＳ−１には、同期フォルダＢＦＳ−１内のコンテンツＢＦＳ−１−１がコピーされている。
【００２８】
図６は、上記の動作において、同期条件情報として、チャンネル８を指定した場合の例である。図６の上の段が同期処理前の同期フォルダＡＦＳ−１，ＢＦＳ−１を示し、図６の下の段が同期処理後の同期フォルダＡＦＳ−１，ＢＦＳ−１を示している。同期処理後の同期フォルダＡＦＳ−１には、同期フォルダＢＦＳ−１内のコンテンツＢＦＳ−１−３がコピーされている。
【００２９】
図５及び図６の例は、同期フォルダＡＦＳ−１に、同期フォルダＢＦＳ−１のコンテンツがコピーされた例を示したが、コンテンツに対して、コピー禁止、移動許可の属性情報が付随しているならば、送り元のフォルダからは、移動したコンテンツが削除されることになる。
【００３０】
次に、同期（特定）フォルダに格納するコンテンツは、どのように決められるかを説明する。
【００３１】
図７（Ａ）に示すように例えば録画予約を行う場合、ディスプレイ１２０上では録画予約画面となる。ここでは、例えば電子番組情報が用いられ、番組名、放送時間、チャンネル番号などを示すテーブル１２１が表示される。さらにこの装置では、録画予約する番組の属性として、同期（特定）フォルダに格納するコンテンツであるかどうかを決定するための指定欄１２２が設けられている。
【００３２】
また図７（Ｂ）に示すように、例えば外部メモリから写真データなどを取り込み情報記録媒体に記録する場合も、保存設定画面１２６が表示される。そして、保存するメディア情報の属性として、同期（特定）フォルダに格納するコンテンツであるかどうかを決定するための指定欄１２２が設けられている。
【００３３】
リモートコントローラ２０でメニュー画面を指定すると、例えば図８に示すように、メニュー画面が現れる。ここでは、本発明に特に関連したメニューを示している。画面をスクロールさせることで他の項目も表示される。
【００３４】
メニュー画面では、左側に選択項目が現れ、右側に各項目を選択したときに得られる機能の説明がなされている。今、リモートコントローラを操作して、項目「録画予約」にカーソルを合わせて、決定ボタンを押すと先の図７（Ａ）に示すような画面を得ることができる。また、項目「保存設定画面」にカーソルを合わせて、決定ボタンを押すと先の図７（Ｂ）に示すような画面を得ることができる。
【００３５】
さらにメニュー画面で、項目「同期（特定）フォルダ設定？」にカーソルを合わせて、決定ボタンを押すと、図９に示すような画面を得ることができる。この画面では、同期フォルダ名を入力して決めることができる。装置１００の場合の同期フォルダ名は、ＡＦＳ−１である。また装置２００の場合の同期フォルダ名はＢＦＳ−１である。メニュー画面で、項目「同期（特定）フォルダ処理？」にカーソルを合わせて、決定ボタンを押すと、図１０に示すような画面を得ることができる。ここでは同期処理を実行しますか？と言うメッセージが現れる。ここで、「はい」にカーソルを合わせて決定ボタンを押すと、自動的に、条件を満足するコンテンツの収集が開始される。条件を入力する項目も現れるので、この項目の横の空欄に条件を入力することができる。この収集処理の結果は、図５、図６で説明した通りである。
【００３６】
さらに図８のメニュー画面で、項目「同期（特定）フォルダコンテンツの変更・設定」にカーソルを合わせて、決定ボタンを押すと、図１１に示すような画面を得ることができる。ここでは図２（Ｂ）で示したようなテーブルが画面に表示される。そして、「同期フォルダ指定」の欄に対して、同期フォルダに格納するコンテンツとして指定するのか否かのフラッグを入力することができる。同期フォルダに格納するコンテンツとする場合には“ｆ”、そうでない場合には“−”が入力される。
【００３７】
図１２には、情報記録再生装置の別の例を示している。この情報記録再生装置は、情報記録媒体としてＤＶＤとハードディスクが利用可能である。
【００３８】
エンコーダ部２０５に入力する信号は、Ａ／Ｖ入力部２１１、又はＴＶチューナ部２１２、又はネットワーク接続部２１４からの信号が、セレクタ２１３で選択されたものである。
【００３９】
光ディスク２０１は、ビデオファイルを構築できる情報記録媒体である。ディスクドライブ部２０２は、光ディスク２０１を回転駆動し、情報の読み書きを実行する。２０４はハードディスクを駆動するハードディスクドライブ（ＨＤＤ）部である。
【００４０】
データプロセッサ部２０３は、ディスクドライブ部２０２及びハードディスクドライブ部２０４０４に記録データを供給することができ、また、再生された信号を受け取ることができる。ディスクドライブ部２０２は、光ディスク２０１に対する回転制御系、レーザ駆動系、光学系などを有する。
【００４１】
データプロセッサ部２０３は、記録または再生単位のデータを取り扱うもので、バッファ回路、変調・復調回路、エラー訂正部などを含む。
【００４２】
この記録再生装置は、録画側を構成するエンコーダ部２０５と、再生側を構成するデコーダ部３００と、装置本体の動作を統括して制御するマイクロコンピュータブロック４００とを主たる構成要素としている。エンコーダ部２０５は、入力されたアナログビデオ信号やアナログオーディオ信号をデジタル化するビデオ用及びオーディオ用のアナログデジタルコンバータと、ビデオエンコーダと、オーディオエンコーダとを有する。さらに、映画の字幕などを圧縮する副映像エンコーダも含む。
【００４３】
エンコーダ部２０５の出力は、バッファメモリ２０７を含むフォーマッタ２０６にて所定のＤＶＤ（ＤＶＤ−Ｒ，ＤＶＤ−ＲＷ，ＤＶＤ−ＲＡＭ、など）フォーマットに変換され、先のデータプロセッサ部２０３に供給される。エンコーダ部２０５には、ＡＶ入力部２１１から外部アナログビデオ信号と外部アナログオーディオ信号、あるいはＴＶチューナ２１２からアナログビデオ信号とアナログオーディオ信号が入力される。なお、エンコーダ部２０５は、圧縮されたデジタルビデオ信号やデジタルオーディオ信号が直接入力されるときは、圧縮デジタルビデオ信号やデジタルオーディオ信号を直接フォーマッタ２０６に供給することもできる。またエンコーダ部２０５は、アナログデジタル変換されたデジタルビデオ信号及びオーディオ信号を、ビデオミキシング部３０５及びオーディオセレクタ３０１にそれぞれ直接供給することもできる。
【００４４】
エンコーダ部２０５に含まれるビデオエンコーダでは、デジタルビデオ信号はＭＰＥＧ２またはＭＰＥＧ１規格に基づいた可変ビットレートで圧縮されたデジタルビデオ信号に変換される。オーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００４５】
副映像信号がＡＶ入力部２１１から入力された場合（例えば副映像信号の独立出力端子付ＤＶＤビデオプレーヤからの信号など）、あるいはこのようなデータ構成のＤＶＤビデオ信号が放送されてそれがＴＶチューナ部２１２で受信された場合は、ＤＶＤビデオ信号中の副映像信号が副映像エンコーダでエンコード（ランレングス符号化）されて副映像のビットマップとなる。
【００４６】
エンコードされたデジタルビデオ信号、デジタルオーディオ信号、副映像データは、フォーマッタ２０６にてパック化され、ビデオパック、オーディオパック、副映像パックとなり、さらにこれらが集合されてＤＶＤ−レコーディング規格（例えばＤＶＤ−ＲＡＭ、ＤＶＤ−Ｒ、ＤＶＤ−ＲＷなどに記録する規格）で規定されたフォーマットに変換される。
【００４７】
ここでこの装置は、フォーマッタ２０６でフォーマット化された情報（ビデオ、オーディオ、副映像データなどのパック）及び作成された管理情報を、データプロセッサ部２０３を介してハードディスクドライブ部２０４あるいはデータディスクドライブ部２０２に供給し、ハードディスクあるいは光ディスク２０１に記録することができる。またハードディスクあるいは光ディスクに記録された情報を、データプロセッサ部２０３、ディスクドライブ部２０２を介して光ディスク２０１あるいはハードディスクに記録することもできる。
【００４８】
またハードディスクあるいは光ディスク２０１に記録されている複数番組のビデオオブジェクトを、一部削除したり、異なる番組のオブジェクトをつなげたり、といった編集処理を行うこともできる。これは、ＤＶＤフォーマットが取り扱うデータ単位を定義し、このデータ単位で信号処理することで編集を容易にしているからである。
【００４９】
マイクロコンピュータブロック４００は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００５０】
マイクロコンピュータブロック４００のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００５１】
またマイクロコンピュータブロック４００は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。
【００５２】
ＭＰＵの実行結果のうち、ユーザに通知すべき内容は、映像データ記録再生装置の表示部４０２に表示されるか、またはモニターディスプレイにＯＳＤ（オンスクリーンディスプレイ）表示される。またマイクロコンピュータブロック４００は、この装置を操作するための操作信号を与えるキー入力部４０１を有する。マイクロコンピュータブロック４００が、ディスクドライブ部２０２、ハードディスクドライブ部２０４、データプロセッサ部２０３、エンコーダ部２０５及び／またはデコーダ部３００などを制御するタイミングは、ＳＴＣ（システムタイムクロック）４０３からの時間データに基づいて実行することができる。
【００５３】
録画や再生の動作は、通常はＳＴＣ４０３からのタイムクロックに同期して実行されるが、それ以外の処理はＳＴＣ４０３とは独立したタイミングで実行されてもよい。
【００５４】
デコーダ部３００は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００５５】
デコーダ部３００の出力ビデオ信号は、ビデオミキシング部３０５に入力される。ビデオミキシング部３０５では、テキストデータの合成が行われる。またビデオミキシング部３０５には、ＴＶチューナ２１２やＡ／Ｖ入力部２１１からの信号を直接取り込むラインもまた接続されている。ビデオミキシング部３０５には、バッファとして用いるフレームメモリ３０６が接続されている。ビデオミキシング部３０５の出力がアナログ出力の場合はＩ／Ｆ（インターフェース）３０７を介して外部出力され、デジタル出力の場合はデジタルアナログ変換器３０８を介して外部へ出力される。またデコーダ部３００の出力は、ネットワーク接続部２１５を介してネットワーク上に出力することも可能である。ネットワーク接続部２１４、２１５では、制御部と相俟って機器相互間の認証処理も行われる。
【００５６】
また、ビデオミキシング部３０５は、ＧＵＩとしての案内画面を作るための画像信号を出力することができる。この画像信号は、マイクロコンピュータブロック４００内の案内画面処理制御部４０ｄにより制御されている。
【００５７】
さらに、操作入力判定部なども設けられており、制御部４００は、装置の全体を統括することができる。
【００５８】
またマイクロコンピュータブロック４００では、全てを図示していないが、図１で示したように、関連付けられた所定の属性情報を持つコンテンツを集合させて格納する特定フォルダを設定した特定フォルダ設定部１１ａと、特定フォルダに格納されるコンテンツに対して属性情報を設定する属性情報設定部１１ｂと、保存すべきコンテンツが取り込まれたときに、属性情報を解析する属性解析部１１ｃと、属性解析部の解析結果、保存すべきコンテンツが所定の属性情報を持つ場合、保存すべきコンテンツを特定フォルダに配信して格納するフォルダ制御部１１ｄを有する。またコンテンツのコピー、移動などを実行させるときに操作画面をディスプレイに表示する操作画面処理部１１ｅを有する。さらにまた、リモートコントローラ２０から入力する操作信号を解析して内容判断を行い、操作内容に応じた処理を装置に実行させるための操作入力判定部１１ｆを有する。
【００５９】
録画モードのときに指定されている記録媒体例えばハードディスクに所定のフォーマット（例えばＤＶＤフォーマット）で複合信号を記録する。このときに当然、複合信号の再生を行うための管理情報も作成されて記録媒体に記録される。そして、この管理情報に、区切り点設定処理部１１ｆからの区切り点（チャプター分割点）が例えばエントリーポイント情報として含まれる。
【００６０】
デコーダ部３００の出力オーディオ信号は、セレクタ３０１を介してデジタルアナログ変換器３０２でアナログ変換され外部に出力される。セレクタ３０１は、マイクロコンピュータブロック４００からのセレクト信号により制御される。これによりセレクタ３０１は、ＴＶチューナ２１２やＡ／Ｖ入力部２１１からのデジタル信号を直接モニタする時、エンコーダ部２０５をスルーした信号を直接選択することも可能である。
【００６１】
なお、エンコーダ部２０５のフォーマッタでは、録画中、各切り分け情報を作成し、定期的にマイクロコンピュータブロック４００のＭＰＵへ送る（ＧＯＰ先頭割り込み時などの情報）。切り分け情報としては、ＶＯＢＵ（ビデオオブジェクトユニット）のパック数、ＶＯＢＵ先頭からのＩピクチャーのエンドアドレス、ＶＯＢＵの再生時間などである。
【００６２】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００６３】
また本装置では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００６４】
データプロセッサ部２０３は、エンコーダ部２０５のフォーマッタからＶＯＢＵ単位のデータを受け取り、ＣＤＡ単位のデータをディスクドライブ部２０２あるいはハードディスクドライブ部２０４に供給している。またマイクロコンピュータブロック４００のＭＰＵは、記録したデータを再生するのに必要な管理情報を作成し、データ記録終了のコマンドを認識すると、作成した管理情報をデータプロセッサ部２０３に送る。これにより、管理情報がディスクに記録される。従って、エンコードが行われているとき、エンコーダ部２０５からマイクロコンピュータブロック４００のＭＰＵは、データ単位の情報（切り分け情報など）を受け取る。また、マイクロコンピュータブロック４００のＭＰＵは、記録開始時には光ディスク及びハードディスクから読み取った管理情報（ファイルシステム）を認識し、各ディスクの未記録エリアを認識し、データ上の記録エリアがデータプロセッサ部１０３を介してディスクに設定されている。
【００６５】
図１に示した実施の形態は、２つの情報記録再生装置１００、２００間の信号のコピー或いは移動について説明した。しかしこの装置は、さらに情報記録再生装置が増設されてもよく、複数の情報記録再生装置から、条件に見合ったコンテンツを同期フォルダに収集することができる。
【００６６】
この発明の装置が複数接続された場合、同期フォルダに格納するための所望の属性情報（例えばジャンル）を条件として入力すると、同期フォルダに対しては、同一グループの装置から、条件に見合うジャンルのコンテンツを収集することができる。さらにこの収集した同期フォルダの中において、第３の装置が例えば、ニュースを条件として指定すると、さらに絞り込まれたジャンルのコンテンツを収集することができる。さらに録画日時などを指定するとさらに絞り込んだコンテンツを収集することができる。
【００６７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６８】
【図１】この発明の一実施の形態を示す説明図である。
【図２】図１の第１の情報記録再生装置におけるフォルダ管理状態を説明するために示した説明図である。
【図３】図１の第２の情報記録再生装置におけるフォルダ管理状態を説明するために示した説明図である。
【図４】図１の第１の情報記録再生装置における同期フォルダ処理動作を説明するために示したフローチャートである。
【図５】図１の第１の情報記録再生装置における同期フォルダ処理動作後に得られた同期フォルダの内容を説明するために示した説明図である。
【図６】図１の第１の情報記録再生装置における同期フォルダ処理動作後に得られた同期フォルダの内容の他の例を説明するために示した説明図である。
【図７】図１の第１の情報記録再生装置において、録画予約を行うときの画面の例及びメモリからのデータの保存を行うときの画面の例を示す説明図である。
【図８】図１の第１の情報記録再生装置においてメニュー画面の例を示す説明図である。
【図９】図１の第１の情報記録再生装置において同期フォルダを新たに作るときの画面の例を示す説明図である。
【図１０】図１の第１の情報記録再生装置における同期フォルダ処理動作を説明するために示したフローチャートである。
【図１１】図１の第１の情報記録再生装置における同期フォルダに格納するコンテンツを指定するとき及び指定を解除するときの画面の例を示す説明図である。
【図１２】この発明が適用された情報記録再生装置の他の例を示す構成説明図である。
【符号の説明】
【００６９】
１００…第１の情報記録再生装置、２００…第２の情報記録再生装置、１２０…ディスプレイ、１０１…制御部、１０３…、１０４…、１０５…、１０６…、１０７…、１１ａ…特定フォルダ設定部，１１ｂ…属性情報設定部，１１ｃ…属性解析部，１１ｄ…フォルダ制御部，１１ｅ…操作画面処理部，１１ｆ…操作入力判定部、２０…リモートコントローラ、２１…受信部。
【図１】
2006338751.tif 000003
【図２】
2006338751.tif 000004
【図３】
2006338751.tif 000005
【図４】
2006338751.tif 000006
【図５】
2006338751.tif 000007
【図６】
2006338751.tif 000008
【図７】
2006338751.tif 000009
【図８】
2006338751.tif 000010
【図９】
2006338751.tif 000011
【図１０】
2006338751.tif 000012
【図１１】
2006338751.tif 000013
【図１２】
2006338751.tif 000014